(57)【特許請求の範囲】
【請求項１】
パネルを撮影する撮像部と、
前記撮像部によって撮影された前記パネルを認識する認識部と、
不良ユニット情報を保存するサーバと、
ＤＩ（Ｄｉｒｅｃｔ  Ｉｍａｇｅ）露光によってストリップバーコードを形成すると共に不良ユニットマークを形成するＤＩ露光器と、
前記サーバから前記不良ユニット情報を受信し、前記ＤＩ露光器の露光を制御する制御部と、
を含む、バーコード及び不良ユニットマーク形成システム。
【請求項２】
前記パネルは、
前記パネルを識別するためのパネルバーコードが形成されるパネルバーコード形成領域と、
複数のユニットを含むストリップと、
前記ストリップを識別するための前記ストリップバーコードが形成されるストリップバーコード形成領域と、
を含む、請求項１に記載のバーコード及び不良ユニットマーク形成システム。
【請求項３】
前記認識部は、前記パネルに含まれた前記複数のユニットを認識し、
前記制御部は、前記認識部によって認識された前記複数のユニットに対する不良ユニット情報を前記サーバから受信し、
前記ＤＩ露光器は、前記サーバから受信した前記不良ユニット情報に基づいて不良ユニットを露光する、請求項２に記載のバーコード及び不良ユニットマーク形成システム。
【請求項４】
前記ＤＩ露光器は、前記ストリップバーコードのイメージを自動で生成し、そのストリップバーコードのイメージで前記ストリップバーコード形成領域を露光する、請求項２に記載のバーコード及び不良ユニットマーク形成システム。
【請求項５】
前記ＤＩ露光器は、不良ユニットを除いたユニット各々の回路パターンを露光する、請求項２に記載のバーコード及び不良ユニットマーク形成システム。
【請求項６】
前記ＤＩ露光器は、前記ストリップバーコード及び前記不良ユニットマークを形成すると共に、不良ユニットを除いたユニットの回路パターンを露光する、請求項２に記載のバーコード及び不良ユニットマーク形成システム。
【請求項７】
前記ＤＩ露光器は、不良ユニット上に予め決められた模様で不良ユニットマークを形成する、請求項４に記載のバーコード及び不良ユニットマーク形成システム。
【請求項８】
前記認識部は、前記パネルバーコード形成領域に形成されたパネルバーコードを認識することによって前記パネルを認識する、請求項２に記載のバーコード及び不良ユニットマーク形成システム。
【請求項９】
前記パネルバーコードは、ドリリング工程によって形成される、請求項８に記載のバーコード及び不良ユニットマーク形成システム。
【請求項１０】
不良ユニットの情報をサーバに格納するステップと、
投入されたパネルのバーコードをカメラによって撮影してパネルを認識するステップと、
前記投入されたパネルに含まれた不良ユニットの情報を前記サーバから受信するステップと、
ＤＩ露光器によってストリップバーコード形成領域を露光すると共に前記不良ユニットを露光するステップと、
を含む、バーコード及び不良ユニットマーク形成方法。
【請求項１１】
前記不良ユニットの情報をサーバに格納するステップは、
前記不良ユニットに対して露光される不良ユニットマークのイメージデータを格納するステップをさらに含む、請求項１０に記載のバーコード及び不良ユニットマーク形成方法。
【請求項１２】
前記ＤＩ露光器によって露光するステップは、
ストリップバーコードのイメージを自動で生成し、そのストリップバーコードのイメージで前記ストリップバーコード形成領域を露光するステップをさらに含む、請求項１１に記載のバーコード及び不良ユニットマーク形成方法。
【請求項１３】
前記ＤＩ露光器によって露光するステップは、
前記不良ユニットを除いたユニット各々の回路パターンを露光するステップをさらに含む、請求項１２に記載のバーコード及び不良ユニットマーク形成方法。
【請求項１４】
前記ＤＩ露光器によって露光するステップは、
ＤＩ露光によって前記ストリップバーコード及び前記不良ユニットマークを形成すると共に、前記不良ユニットを除いたユニットの回路パターンを露光するステップをさらに含む、請求項１３に記載のバーコード及び不良ユニットマーク形成方法。
【請求項１５】
前記ＤＩ露光器によって露光するステップは、前記不良ユニットを予め決められた模様で露光することによって不良ユニットマークを形成するステップをさらに含む、請求項１２に記載のバーコード及び不良ユニットマーク形成方法。
【請求項１６】
前記投入されたパネルをカメラによって撮影するステップの前に、
パネルバーコード形成領域にドリリングによってパネルバーコードを形成するステップをさらに含む、請求項１０に記載のバーコード及び不良ユニットマーク形成方法。
【請求項１７】
前記露光するステップの後に、
前記不良ユニットの情報をアップデートするステップをさらに含む、請求項１０に記載のバーコード及び不良ユニットマーク形成方法。
【請求項１８】
前記不良ユニットの情報をサーバに格納するステップの前に、
前記不良ユニットを除いたユニットの回路パターンの情報を前記サーバに格納するステップをさらに含む、請求項１０に記載のバーコード及び不良ユニットマーク形成方法。
【請求項１９】
前記不良ユニットを除いたユニット各々の回路パターンのイメージデータを格納するステップをさらに含む、請求項１８に記載のバーコード及び不良ユニットマーク形成方法。
【発明の詳細な説明】
【技術分野】
【０００１】
本発明は、ダイレクトイメージ露光器を用いるバーコード、並びに不良ユニットマーク形成システム及びその方法に関し、特に、ドリリングを用いることなく、ダイレクトイメージ露光器による回路パターンの露光工程と同時にバーコード形成領域及び不良ユニットに対して露光することによって、バーコード及び不良ユニットマークを形成するシステム及びその方法に関する。
【背景技術】
【０００２】
基板の製造工程に投入されるパネルには、加工対象である複数のユニットを含むストリップと、このストリップを区別するためのストリップバーコードと、該投入されたパネルを区別するためのパネルバーコードとを含む。すなわち、文字や数字を黒白の縞模様で表示した記号であって、読取り手段によって光学的に読み取られることによって、該ストリップを区別する手段がストリップバーコードであり、これと同じ手段として該パネルを区別する手段がパネルバーコードである。
【０００３】
一方、パネルバーコード及びストリップバーコードを形成する工程とは別に、パネルに含まれた複数のユニットに対する不良検査を行い、これによって不良に判定されたユニットに対しては、該不良ユニットに対して表示または刻印をすることによって良品と不良品とを区別した。また、良品と判断されたユニットの回路パターンの露光処理を行わなければならないが、この工程は不良ユニットマーク形成工程とは別個に行われる。
【先行技術文献】
【特許文献】
【０００４】
【特許文献１】韓国公開特許第１０−１９９９−００３９７３９号公報
【発明の概要】
【発明が解決しようとする課題】
【０００５】
ところが、このようなストリップバーコードの形成において、従来は、ドリリング方式を用いた。このドリリング方式によれば、ドリリングの特性上、異物が発生する可能性が高く、該異物によって後続工程においてバーコードの認識エラーが発生する可能性が高かった。
【０００６】
また、前述のように、バーコード形成工程、不良ユニットに対する刻印工程及び良品と判断されたユニットの回路パターンの露光工程が全て別に行われるため、生産性が低下するという不都合がある。
【０００７】
本発明は上記の問題点に鑑みて成されたものであって、ストリップバーコードを、従来のドリリング方式ではないＤＩ（Ｄｉｒｅｃｔ  Ｉｍａｇｅ）露光器による露光によって形成して、ストリップバーコード形成工程で異物が発生する可能性を除去することによって、バーコードの認識率を向上させることに、その目的がある。
【０００８】
また、本発明は、単一のバーコード形成工程で不良ユニットを示すマークを形成することによって、設備費及び材料費を節減し、工程の単一化を具現することに、その目的がある。
【０００９】
また、本発明は、バーコード及び不良ユニットマークを形成する工程と同時に、不良ユニットを除いたユニットの回路パターンを露光することによって、工程を単純化し、生産性を向上させることに、その目的がある。
【課題を解決するための手段】
【００１０】
上記目的を解決するために、本発明の実施形態によるバーコード及び不良ユニットマーク形成システムは、パネルを撮影する撮像部と、前記撮像部によって撮影された前記パネルを認識する認識部と、不良ユニット情報を保存するサーバと、ＤＩ露光によってストリップバーコード及び不良ユニットマークを形成するＤＩ露光器と、前記サーバから前記不良ユニット情報を受信して前記ＤＩ露光器の露光を制御する制御部と、を含む。
【００１１】
一実施形態によれば、前記パネルは、該パネルを識別するための前記パネルバーコードが形成されるパネルバーコード形成領域と、複数のユニットを含むストリップと、前記ストリップを識別するための前記ストリップバーコードが形成されるストリップバーコード形成領域と、を含む。
【００１２】
一実施形態によれば、前記認識部は、前記パネルに含まれた前記複数のユニットを認識する。前記制御部は、前記認識部によって認識された前記複数のユニットに対する不良ユニット情報を前記サーバから受信する。前記ＤＩ露光器は、前記サーバから受信した前記不良ユニット情報に基づいて前記不良ユニットを露光する。
【００１３】
一実施形態によれば、前記ＤＩ露光器は、前記ストリップバーコードのイメージを自動で生成し、その前記ストリップバーコードのイメージで前記ストリップバーコード形成領域を露光する。
【００１４】
一実施形態によれば、前記ＤＩ露光器は、前記不良ユニットを除いたユニット各々の回路パターンを露光する。
【００１５】
一実施形態によれば、前記ＤＩ露光器は、前記ストリップバーコード及び前記不良ユニットマークを形成すると共に前記不良ユニットを除いたユニットの回路パターンを露光する。
【００１６】
一実施形態によれば、前記ＤＩ露光器は、前記不良ユニット上に予め決められた模様で不良ユニットマークを形成する。
【００１７】
一実施形態によれば、前記認識部は、前記パネルバーコード形成領域に形成されたパネルバーコードを認識することによって前記パネルを認識する。
【００１８】
一実施形態によれば、前記パネルバーコードは、ドリリング工程によって形成される。
【００１９】
また、上記目的を解決するために、本発明の他の実施形態によるバーコード及び不良ユニットマーク形成方法は、不良ユニットの情報をサーバに格納するステップと、投入されたパネルをカメラによって撮影するステップと、前記投入されたパネルに含まれた不良ユニットの情報を前記サーバから受信するステップと、ＤＩ露光器によってストリップバーコード形成領域及び前記不良ユニットを露光するステップとを含む。
【００２０】
一実施形態によれば、前記不良ユニットの情報を前記サーバに格納するステップは、前記不良ユニットに対して露光される不良ユニットマークのイメージデータを格納するステップを含む。
【００２１】
一実施形態によれば、前記ＤＩ露光器によって露光するステップは、前記ストリップバーコードのイメージを自動で生成し、そのストリップバーコードのイメージで前記ストリップバーコード形成領域を露光するステップを含む。
【００２２】
一実施形態によれば、前記ＤＩ露光器によって露光するステップは、前記不良ユニットを除いたユニット各々の回路パターンを露光するステップを含む。
【００２３】
一実施形態によれば、前記ＤＩ露光器によって露光するステップは、ＤＩ露光によって前記ストリップバーコード及び前記不良ユニットマークが形成されると共に前記不良ユニットを除いたユニットの回路パターンを露光するステップを含む。
【００２４】
一実施形態によれば、前記ＤＩ露光器によって露光するステップは、前記不良ユニット上に予め決められた模様で露光することによって不良ユニットマークを形成するステップを含む。
【００２５】
一実施形態によれば、前記投入されたパネルをカメラによって撮影するステップの前に、パネルバーコード形成領域にドリリングによってパネルバーコードを形成するステップをさらに含む。
【００２６】
一実施形態によれば、前記露光するステップの後に、前記不良ユニットの情報をアップデートするステップをさらに含む。
【００２７】
一実施形態によれば、前記不良ユニットの情報をサーバに格納するステップの前に、前記不良ユニットを除いたユニットの回路パターンの情報を前記サーバに格納するステップをさらに含む。
【００２８】
一実施形態によれば、前記不良ユニットを除いたユニット各々の回路パターンのイメージデータを格納するステップを含む。
【発明の効果】
【００２９】
本発明によれば、ストリップバーコードをＤＩ露光器で露光して形成することによって、ストリップバーコード形成工程で異物が発生する可能性を除してバーコードの認識率を向上させるという効果が奏する。
【００３０】
また、本発明によれば、単一のバーコード形成工程で不良ユニットに対するマークを形成することによって、設備費及び材料費を節減すると共に、バーコード形成工程及び不良ユニットマーク形成工程を単一化することができるという効果が奏する。
【００３１】
また、本発明によれば、バーコード及び不良ユニットマークを形成する工程と同時に不良ユニットを除いたユニットの回路パターンを露光することによって、工程を単純化し、生産性を向上させるという効果が奏する。
【図面の簡単な説明】
【００３２】
【図１】本発明の実施形態によるバーコード及び不良ユニットマーク形成システムのブロック図である。
【図２】本発明の実施形態によるバーコード及び不良ユニットマーク形成システムに投入されるパネルの構成図である。
【図３】本発明の一実施形態によるバーコード及び不良ユニットマーク形成方法のフローチャートである。
【図４】本発明の他の実施形態によるバーコード及び不良ユニットマーク形成方法のフローチャートである。
【発明を実施するための形態】
【００３３】
以下、本発明の好適な実施の形態は図面を参考にして詳細に説明する。次に示される各実施の形態は当業者にとって本発明の思想が十分に伝達されることができるようにするために例として挙げられるものである。従って、本発明は以下示している各実施の形態に限定されることなく他の形態で具体化されることができる。そして、図面において、装置の大きさ及び厚さなどは便宜上誇張して表現されることができる。明細書全体にわたって同一の参照符号は同一の構成要素を示している。
【００３４】
本明細書で使われた用語は、実施形態を説明するためのものであって、本発明を制限しようとするものではない。本明細書において、単数形は文句で特別に言及しない限り複数形も含む。明細書で使われる「含む」とは、言及された構成要素、ステップ、動作及び／又は素子は、一つ以上の他の構成要素、ステップ、動作及び／又は素子の存在または追加を排除しないことに理解されたい。
【００３５】
図１は、本発明の実施形態によるバーコード及び不良ユニットマーク形成システムのブロック図で、図２は、本発明の実施形態によるバーコード及び不良ユニットマーク形成システムに投入されるパネルの構成図である。
【００３６】
図１及び図２を参照して、本発明の実施形態によるバーコード及び不良ユニットマーク形成システム１００は、パネル６０を撮影する撮像部４０と、この撮像部４０によって撮影されたパネル６０を認識する認識部３０と、不良ユニット情報を保存するサーバ１０と、ＤＩ露光によってストリップバーコード及び不良ユニットマークを形成するＤＩ露光器５０と、このサーバ１０から前記不良ユニット情報を受信してＤＩ露光器５０の露光を制御する制御部２０とを含む。
【００３７】
パネル上の被露光層を露光するための手段の一つとして、最近、ＤＩ露光器が使われている。このＤＩ露光器は、レーザーダイオードを光源として使って、パネル上の被露光層を直接露光する装備である。このようなＤＩ露光器は、複数の露光ヘッドを含み、一定の間隔で互いに離間された状態でスキャニングユニットに固定され、設定された露光量でパネル上の被露光層を露光する。この場合、前記複数の露光ヘッドは、設定されたスキャニング速度で移送されることになる。このような露光器を用いてパネル上の被露光層を露光する場合、テーブルにパネルを載置した後、複数の露光ヘッドを順次露光方法によってスキャニングしながら該当領域を各々露光することができる。ここで、順次露光方法とは、各々の露光ヘッドが該当領域の一番目のスキャンラインを露光した後、該一番目のスキャンライン寄りの二番目スキャンラインを露光するような方式を意味する。
【００３８】
前記パネル６０は、該パネル６０を識別するための前記パネルバーコードが形成されるパネルバーコード形成領域６１と、複数のユニット６３を含むストリップ６２と、前記ストリップ６２を識別するための前記ストリップバーコードが形成されるストリップバーコード形成領域６４とを含む。前記パネルバーコード形成領域６１は、前記パネル６０当たり一つを含み、前記パネル６０を識別するためのパネルバーコードが形成される。また、前記ストリップバーコード形成領域６４は、前記ストリップ６２当たり一つを含み、前記ストリップ６２を識別するためのストリップバーコードが形成される。また、前記ストリップ６２は、複数のユニット６３を含む。このユニット６３は、前記サーバ１０に格納された不良ユニット情報によって良品または不良品に区分され、良品と判断されたユニットは、前記ＤＩ露光器５０によって回路パターンが露光され、不良品と判断されたユニットは、前記ＤＩ露光器５０によって不良ユニットマークとして露光される。
【００３９】
前記パネル６０は、前記撮像部４０によって撮影される。前記認識部３０は、前記撮像部４０に接続される。前記認識部３０は、前記パネル６０に含まれた前記複数のユニット６３を認識する。前記制御部２０は、前記認識部３０によって認識された前記複数のユニット６３に対する不良ユニット情報を前記サーバ１０から受信する。前記ＤＩ露光器５０は、前記サーバ１０から受信された前記不良ユニット情報に基づいて前記不良ユニットを露光する。この場合、前記認識部３０は、前記パネルバーコード形成領域６１に形成されたパネルバーコードを認識することによって前記パネルを認識する。前記パネルバーコード形成領域に形成されたパネルバーコードは、ドリリング工程によって形成される。
【００４０】
前記ＤＩ露光器５０は、前記ストリップバーコードのイメージを自動で生成し、その前記ストリップバーコードのイメージで前記ストリップバーコード形成領域６４を露光する。または、前記ＤＩ露光器５０は、前記サーバ１０に格納された前記ストリップバーコードのイメージを受信し、前記ストリップバーコード形成領域６４を露光する。
【００４１】
前記ＤＩ露光器５０は、前記不良ユニットを除いたユニット各々の回路パターンを露光する。前記ユニット６３は、前記サーバ１０に格納された不良ユニット情報によって良品または不良品に区分され、前記不良ユニットを除いたユニット各々は、設定された回路パターンによって露光される。
【００４２】
前記ＤＩ露光器５０は、前記ストリップバーコード及び前記不良ユニットマークを形成すると共に前記不良ユニットを除いたユニットの回路パターンを露光する。
【００４３】
前記ＤＩ露光器５０は、前記不良ユニット上に予め決められた模様で不良ユニットマークを形成する。すなわち、前記ＤＩ露光器５０は、前記不良ユニット上に不良ユニットであることを表示する図形、文字などの所定のマークを形成する。
【００４４】
図３は、本発明の一実施形態によるバーコード及び不良ユニットマーク形成方法のフローチャートである。
【００４５】
図３に示すように、本発明の一実施形態によるバーコード及び不良ユニットマーク形成方法は、不良ユニットの情報をサーバに格納するステップ（Ｓ１１０）と、投入されたパネルをカメラによって撮影するステップ（Ｓ１２０）と、この投入されたパネルに含まれた不良ユニットの情報を前記サーバから受信するステップ（Ｓ１３０）と、ＤＩ露光器によってストリップバーコード形成領域及び前記不良ユニットを露光するステップ（Ｓ１４０、Ｓ１５０）とを含む。
【００４６】
一実施形態によれば、前記露光するステップ（Ｓ１４０、Ｓ１５０）の後に、前記不良ユニットの情報をアップデートするステップをさらに含んでもよい。すなわち、前記ＤＩ露光器によってストリップバーコード形成領域及び前記不良ユニットが露光された後、アップデートされた不良ユニットの情報を前記サーバに格納し、新たなストリップバーコード形成領域及び不良ユニットを露光してもよい。
【００４７】
一実施形態によれば、前記不良ユニットの情報をサーバに格納するステップ（Ｓ１１０）は、前記不良ユニットに対して露光される不良ユニットマークのイメージデータを格納するステップを含んでもよい。
【００４８】
一実施形態によれば、前記ＤＩ露光器によって露光するステップ（Ｓ１４０、Ｓ１５０）は、ストリップパーコードのイメージを自動で生成し、そのストリップバーコードのイメージで前記ストリップバーコード形成領域を露光するステップを含んでもよい。
【００４９】
一実施形態によれば、前記ＤＩ露光器によって露光するステップ（Ｓ１４０、Ｓ１５０）は、前記不良ユニットを除いたユニット各々の回路パターンを露光するステップを含む。
【００５０】
前記ＤＩ露光器によって露光するステップ（Ｓ１４０、Ｓ１５０）は、前記不良ユニット上に予め決められた模様で露光することによって不良ユニットマークを形成するステップを含んでもよい。
【００５１】
また、前記投入されたパネルをカメラによって撮影するステップの前に、パネルバーコード形成領域にドリリングによってパネルバーコードを形成するステップをさらに含んでもよい。この場合、前記パネルバーコードは、ＤＩ露光器によって露光されないで従来のドリリング方式によって形成されてもよく、前記パネルバーコードが前記カメラによって撮影されることによってパネルが認識されることができる。
【００５２】
図４は、本発明の他の実施形態によるバーコード及び不良ユニットマーク形成方法のフローチャートである。図３で説明した部分と重複する説明は省略することにする。
【００５３】
図４に示すように、本発明の他の実施形態によるバーコード及び不良ユニットマーク形成方法は、不良ユニットの情報及び前記不良ユニットを除いたユニットの回路パターンの情報をサーバに格納するステップ（Ｓ２１０）と、投入されたパネルをカメラによって撮影するステップ（Ｓ２２０）と、該投入されたパネルに含まれた不良ユニットの情報及び前記不良ユニットを除いたユニットの回路パターンの情報を前記サーバから受信するステップ（Ｓ２３０）と、ＤＩ露光器によってストリップバーコード形成領域、前記不良ユニット及び前記不良ユニットを除いたユニットの回路パターンを露光するステップ（Ｓ２４０）とを含む。
【００５４】
一実施形態によれば、前記ＤＩ露光器によって露光するステップは、ＤＩ露光によって前記ストリップバーコード及び前記不良ユニットマークを形成すると共に、前記不良ユニットを除いたユニットの回路パターンを露光するステップを含んでもよい。
【００５５】
一実施形態によれば、前記露光するステップ（Ｓ２４０）の後に、前記不良ユニットの情報をアップデートするステップをさらに含んでもよい。すなわち、前記ＤＩ露光器によってストリップバーコード形成領域及び前記不良ユニットを露光した後、アップデートされた不良ユニットの情報を前記サーバに格納し、新たなストリップバーコード形成領域及び不良ユニットを露光してもよい。
【００５６】
また、一実施形態によれば、前記不良ユニットの情報をサーバに格納するステップの前に、前記不良ユニットを除いたユニットの回路パターンの情報を前記サーバに格納するステップをさらに含んでもよい。
【００５７】
この場合、前記不良ユニットを除いたユニット各々の回路パターンのイメージデータを格納するステップを含んでもよい。
【００５８】
また、一実施形態によれば、前記投入されたパネルをカメラによって撮影するステップの前に、パネルバーコード形成領域にドリリングによってパネルバーコードを形成するステップをさらに含んでもよい。この場合、前記パネルバーコードは、ＤＩ露光器によって露光されないで従来のドリリング方式によって形成されてもよい。前記パネルバーコードが前記カメラによって撮影されることによって、パネルが認識されることができる。
【００５９】
今回開示された実施の形態はすべての点で例示であって制限的なものではないと考えられるべきである。本発明の範囲は、前記した実施の形態の説明ではなくて特許請求の範囲によって示され、特許請求の範囲と均等の意味及び範囲内でのすべての変更が含まれることが意図される。
【符号の説明】
【００６０】
１０  サーバ
２０  制御部
３０  認識部
４０  撮像部
５０  ＤＩ露光器
６０  パネル
６１  パネルバーコード形成領域
６２  ストリップ
６３  ユニット
６４  ストリップバーコード形成領域
１００  バーコード及び不良ユニットマーク形成システム。
【図１】
0005755681.tif 000002
【図２】
0005755681.tif 000003
【図３】
0005755681.tif 000004
【図４】
0005755681.tif 000005